(57)【要約】【課題】冷却対象物に対し高圧の冷却水を噴射する冷却水噴射ノズルを有するヘッダへの冷却水の流量を、精度良く短時間で制御できる流量制御装置及び流量制御方法を提供する。【解決手段】流量制御装置１は、冷却水供給元２からヘッダ７に至る配管４に直列に設置された複数台の流量調節弁５１〜５ｎと、配管４の、最下流の流量調節弁５ｎの下流側に設置された、配管４内の冷却水Ｗの流量を測定する流量計６と、複数台の流量調節弁５１〜５ｎの弁開度のそれぞれを制御する流量調節弁制御部と８を備える。流量調節弁制御部８は、最下流の流量調整弁の弁開度５ｎを、流量計６での実測値がヘッダ７への冷却水Ｗの目標流量値となるような大きさに制御するとともに、その他の流量調節弁５１〜５ｎ−１の弁開度については最上流の流量調節弁５１から最下流の流量調節弁５ｎに向けて徐々に弁開度を絞るような大きさに制御する。【選択図】図１
2020190885.tif 000002
【特許請求の範囲】
【請求項１】
冷却対象物に対し高圧の冷却水を噴射する冷却水噴射ノズルを有するヘッダへの冷却水の流量を制御する流量制御装置であって、
冷却水供給元から前記ヘッダに至る配管に設置された複数台の流量調節弁と、
前記配管の、前記複数台の流量調節弁のうちの最下流の流量調節弁の下流側に設置された、前記配管内の冷却水の流量を測定する流量計と、
前記複数台の流量調節弁の弁開度のそれぞれを制御する流量調節弁制御部とを備え、
該流量調節弁制御部は、前記最下流の流量調整弁の弁開度を、前記流量計での実測値が前記ヘッダへの冷却水の目標流量値となるような大きさに制御するとともに、その他の流量調節弁の弁開度については最上流の流量調節弁から前記最下流の流量調節弁に向けて徐々に弁開度を絞るような大きさに制御することを特徴とする流量制御装置。
【請求項２】
請求項１に記載の流量制御装置によって、冷却対象物に対し高圧の冷却水を噴射する冷却水噴射ノズルを有するヘッダへの冷却水の流量を制御する流量制御方法であって、
前記流量調節弁制御部が前記目標流量値を取得する目標流量値取得ステップと、
前記流量調節弁制御部が、前記複数台の流量調節弁の弁開度のそれぞれの初期値を、前記ヘッダへの冷却水の流量が前記目標流量値となるような大きさに設定する弁開度初期値設定ステップと、
前記流量計が前記ヘッダへの冷却水の流量を実測する流量実測ステップと、
前記流量調節弁制御部が、前記流量計の実測値と前記目標流量値との偏差を求め、この偏差がなくなるような大きさに前記複数台の流量調節弁のうち最下流の流量調節弁の弁開度の前記初期値を修正するともに、その他の流量調節弁の弁開度については最上流の流量調節弁から前記最下流の流量調節弁に向けて徐々に弁開度を絞るような大きさに前記初期値を修正する弁開度修正ステップとを含むことを特徴とすることを特徴とする流量制御方法。
【請求項３】
前記弁開度初期値設定ステップで設定される前記複数台の流量調節弁の弁開度のそれぞれの前記初期値は、前記最下流の流量調節弁の弁開度については、前記ヘッダへの冷却水の流量が前記目標流量値となるような大きさに設定されるとともに、その他の流量調節弁の弁開度については、前記最上流の流量調節弁から前記最下流の流量調節弁に向けて徐々に弁開度を絞るような大きさに設定されることを特徴とする請求項２に記載の流量制御方法。
【発明の詳細な説明】
【技術分野】
【０００１】
本発明は、冷却水噴射ノズルを有するヘッダへの高圧水の冷却水の流量を制御する流量制御装置及び流量制御方法に関する。
【背景技術】
【０００２】
例えば、熱間圧延によって厚鋼板を製造プロセスでは、熱間粗圧延、仕上圧延を行った後、水冷または空冷を行って厚鋼板の組織を制御する。
この厚鋼板を水冷によって冷却する厚鋼板の冷却設備として、従来、例えば、特許文献１に示すものが知られている。
特許文献１に示す厚鋼板の冷却設備は、厚鋼板の熱間圧延ラインに設置される冷却設備であって、厚鋼板の上面に冷却水を供給するヘッダと、ヘッダから懸垂した棒状冷却水を噴射する冷却水噴射ノズルと、ヘッダの厚鋼板搬送方向上流側及び下流側に設置され、厚鋼板を挟んでテーブルロールと対向する水切りロールとを備えている。そして、冷却水噴射ノズルから噴射される冷却水の水量密度が２．０ｍ３／ｍ２・ｍｉｎ以上となるように、ヘッダに供給される冷却水の流量を制御している。
【０００３】
ところで、特許文献１には記載されていないが、冷却水噴射ノズルを有するヘッダへの冷却水の流量を制御する方法については、一般的に、冷却水供給元からヘッダに至る配管に流量制御弁を１台設置するとともに、当該配管の流量制御弁の下流側に配管内冷却水の流量を測定する流量計を設置する。そして、この流量計による実測値と目標流量値との差異を求め、この差異がなくなるように流量制御弁の弁開度を調整するフィードバック制御を行っている。
【先行技術文献】
【特許文献】
【０００４】
【特許文献１】特開２０１０−６４０９８号公報
【発明の概要】
【発明が解決しようとする課題】
【０００５】
しかしながら、この従来の冷却水噴射ノズルを有するヘッダへの冷却水の流量を制御する方法にあっては、以下の問題点があった。
即ち、一般的に、厚鋼板の冷却においては、冷却水噴射ノズルから噴射される冷却水が高圧（０．２ＭＰａ以上、特許文献１では冷却水噴射ノズルから噴射される冷却水の水量密度が２．０ｍ３／ｍ２・ｍｉｎ以上である）であるため、１台の流量制御弁の弁開度の制御では冷却水流量の制御が粗くなり、冷却水の流量の制御を精度よく行えない。流量制御弁の弁開度の制御はフィードバック制御を行っているため、冷却水の流量の制御を精度よく行えてなくても、最終的には冷却水流量は目標流量値に適切に近づくことになるが、その制御に時間がかかり、生産性が芳しくない。
【０００６】
従って、本発明は、この従来の問題点を解決するためになされたものであり、その目的は、冷却対象物に対し高圧の冷却水を噴射する冷却水噴射ノズルを有するヘッダへの冷却水の流量を、精度良く短時間で制御できる流量制御装置及び流量制御方法を提供することにある。
【課題を解決するための手段】
【０００７】
上記課題を解決するために、本発明の一態様に係る流量制御装置は、冷却対象物に対し高圧の冷却水を噴射する冷却水噴射ノズルを有するヘッダへの冷却水の流量を制御する流量制御装置であって、冷却水供給元から前記ヘッダに至る配管に設置された複数台の流量調節弁と、前記配管の、前記複数台の流量調節弁のうちの最下流の流量調節弁の下流側に設置された、前記配管内の冷却水の流量を測定する流量計と、前記複数台の流量調節弁の弁開度のそれぞれを制御する流量調節弁制御部とを備え、該流量調節弁制御部は、前記最下流の流量調整弁の弁開度を、前記流量計での実測値が前記ヘッダへの冷却水の目標流量値となるような大きさに制御するとともに、その他の流量調節弁の弁開度については最上流の流量調節弁から前記最下流の流量調節弁に向けて徐々に弁開度を絞るような大きさに制御することを要旨とする。
【０００８】
また、本発明の別の態様に係る流量制御方法は、前述の流量制御装置によって、冷却対象物に対し高圧の冷却水を噴射する冷却水噴射ノズルを有するヘッダへの冷却水の流量を制御する流量制御方法であって、前記流量調節弁制御部が前記目標流量値を取得する目標流量値取得ステップと、前記流量調節弁制御部が、前記複数台の流量調節弁の弁開度のそれぞれの初期値を、前記ヘッダへの冷却水の流量が前記目標流量値となるような大きさに設定する弁開度初期値設定ステップと、前記流量計が前記ヘッダへの冷却水の流量を実測する流量実測ステップと、前記流量調節弁制御部が、前記流量計の実測値と前記目標流量値との偏差を求め、この偏差がなくなるような大きさに前記複数台の流量調節弁のうち最下流の流量調節弁の弁開度の前記初期値を修正するともに、その他の流量調節弁の弁開度については最上流の流量調節弁から前記最下流の流量調節弁に向けて徐々に弁開度を絞るような大きさに前記初期値を修正する弁開度修正ステップとを含むことを要旨とする。
【発明の効果】
【０００９】
本発明に係る流量制御装置及び流量制御方法によれば、冷却対象物に対し高圧水の冷却水を噴射する冷却水噴射ノズルを有するヘッダへの冷却水の流量を、精度良く短時間で制御できる流量制御装置及び流量制御方法を提供できる。
【図面の簡単な説明】
【００１０】
【図１】本発明の一実施形態に係る流量制御装置の概略構成図である。
【図２】図１に示す流量制御装置の処理の流れを示すフローチャートである。
【発明を実施するための形態】
【００１１】
以下、本発明の実施の形態を図面を参照して説明する。以下に示す実施形態は、本発明の技術的思想を具体化するための装置や方法を例示するものであって、本発明の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１には、本発明の一実施形態に係る流量制御装置の概略構成が示されており、流量制御装置１は、厚鋼板Ｓの熱間圧延における冷却設備に適用される。
そして、流量制御装置１は、冷却対象物としての厚鋼板Ｓに対し高圧（０．２ＭＰａ以上）の冷却水Ｗを噴射する複数の冷却水噴射ノズル７ａを有するヘッダ７への冷却水の流量を制御する。
この流量制御装置１は、冷却水供給元としての冷却水Ｗを収容したタンク２からヘッダ７に至る配管４を備えている。配管４は、タンク２から延びる第１配管４ａと、第１配管４ａから分岐してヘッダ７に至る第２配管４ｂと備えている。第１配管４ａには、給水ポンプ３が設置されている。そして、第２配管４ｂには、複数台（本実施形態にあってはｎ台）の流量調節弁５１〜５ｎが上流側から下流側に向けて直列に設置されている。ここで、符号５１は上流側から１段目の最上流の流量調節弁を表し、符号５ｎは上流側からｎ段目の最下流の流量調節弁を表している。
【００１３】
また、第２配管４ｂの、複数台の流量調節弁５１〜５ｎのうちの最下流の流量調節弁５ｎの下流側には、第２配管４ｂ内の冷却水の流量を測定する流量計６が設置されている。
また、流量制御装置１は、複数台の流量調節弁５１〜５ｎの弁開度のそれぞれを制御する流量調節弁制御部８を備えている。流量調節弁制御部８は、複数台の流量調節弁５１〜５ｎ、流量計６及び上位計算機９に接続されている。流量調節弁制御部８は、演算処理機能を有するコンピュータシステムであり、ハードウェアにインストールされたコンピュータプログラムを実行することにより、流量調節弁制御の機能をソフトウェア上で実現できるようになっている。
【００１４】
この流量調節弁制御部８は、最下流の流量調節弁５ｎの弁開度を、流量計６での実測値がヘッダ７への冷却水Ｗの目標流量値となるような大きさに制御する。ここで、最下流の流量調節弁５ｎの弁開度における流量計６での実測値が目標流量値となるような大きさとは、当該流量計６での実測値が目標流量値となる弁開度そのものではなく、少し大きさが異なっても良い。つまり、流量調節弁制御部８は、流量計６の実測値と上位計算機９から伝送されるヘッダ７への冷却水Ｗの目標流量値との偏差を求め、この偏差がなくなるような大きさ（偏差が０ではなく少し異なっても良い）に最下流の流量調節弁５ｎの弁開度を制御する。そして、その他の流量調節弁５１〜５ｎ−１の弁開度については最上流の流量調節弁５１から最下流の流量調節弁５ｎに向けて徐々に弁開度を絞るような大きさに制御する。つまり、流量調節弁制御部８は、最下流の流量調節弁５ｎの弁開度を流量計６の実測値と目標流量値との偏差をなくす大きさの弁開度に制御し、最下流の一つ上流側の流量調節弁５ｎ−１から最上流の流量調節弁５１の弁開度は下流側の流量調節弁の弁開度に対して上流側の流量調節弁の弁開度が大きくなるように制御する。
【００１５】
この流量調節弁制御部８による複数台の流量調節弁５１〜５ｎの弁開度の制御は、先ず、複数台の流量調節弁５１〜５ｎの弁開度のそれぞれの初期値を、ヘッダ７への冷却水Ｗの流量がステップＳ１で取得した目標流量値となるような大きさに設定する。その状態で、第１配管４ａから第２配管４ｂを経てヘッダ７に高圧の冷却水Ｗを供給し、その際に、流量計６が第２配管４ｂ内を流れる冷却水Ｗの流量を実測する。そして、流量調節弁制御部８が、流量計６の実測値と目標流量値との偏差を求める。そして、流量調節弁制御部８が、この偏差がなくなるような大きさに複数台の流量調節弁５１〜５ｎのうち最下流の流量調節弁５ｎの弁開度の初期値を修正する。また、流量調節弁制御部８が、その他の流量調節弁５１〜５ｎ−１の弁開度については最上流の流量調節弁５１から最下流の流量調節弁５ｎに向けて徐々に弁開度を絞るような大きさに初期値を修正する。
【００１６】
そして、流量調節弁制御部８によって複数台の流量調節弁５１〜５ｎの弁開度のそれぞれが修正された状態で、第１配管４ａから第２配管４ｂを経てヘッダ７に高圧の冷却水Ｗが供給される。この際に、冷却水Ｗは、最上流の流量調節弁５１から最下流の流量調節弁５ｎに向けて徐々に弁開度が絞られた流量調節弁を通過して最下流の流量調節弁５ｎで目標流量値と偏差がなくなるように流量が調整されて流出する。この際に、冷却水Ｗが高圧であっても、冷却水Ｗの流量は複数台の流量調節弁５１〜５ｎによって徐々に絞られるので、最下流の流量調節弁５ｎを通過した冷却水Ｗの流量は均一になり、目標流量値との偏差が大きくなることはない。このため、厚鋼板Ｓに対し高圧の冷却水Ｗを噴射する冷却水噴射ノズル７ａを有するヘッダ７への冷却水Ｗの流量を、精度良く短時間で制御できる。
そして、流量計６による冷却水Ｗの流量の実測と、流量調節弁制御部８による複数台の流量調節弁５１〜５ｎの弁開度の修正とを、１本の厚鋼板Ｓの冷却が終了するまで所定時間毎に繰り返し、流量調節弁制御部８による複数台の流量調節弁５１〜５ｎの弁開度の制御は終了する。
【００１７】
なお、第２配管４ｂに１台の流量調節弁（本実施形態で最下流の流量調節弁５ｎと同様のもの）を設置して冷却水Ｗの流量の制御を行う場合について説明する。この場合、流量調節弁制御部８は、１台の流量調節弁の弁開度の初期値を、ヘッダ７への冷却水Ｗの流量が目標流量値となるような大きさに設定する。その状態で、第１配管４ａから第２配管４ｂを経てヘッダ７に高圧の冷却水Ｗを供給し、流量計６が第２配管４ｂ内を流れる冷却水Ｗの流量を実測する。そして、流量調節弁制御部８は、流量計６の実測値と上位計算機９から伝送されるヘッダ７への冷却水Ｗの目標流量値との偏差を求める。そして、流量調節弁制御部８は、この偏差がなくなるような大きさに１台の流量調節弁の弁開度の初期値を修正する。そして、流量調節弁制御部８によって１台の流量調節弁の弁開度が修正された状態で、冷却水Ｗが供給され、１台の流量調節弁を経て流出する。しかし、冷却水Ｗが高圧であることから、当該流量調節弁を通過した冷却水Ｗの流量はばらつき、目標流量値との偏差が大きくなってしまうことが多い。流量調節弁制御部８による流量調節弁の弁開度の制御においては、その後に、流量計６による冷却水Ｗの流量の実測と、流量調節弁制御部８による１台の流量調節弁の弁開度の修正とが、１本の厚鋼板Ｓの冷却が終了するまで所定時間毎に繰り返し行われる。このため、冷却水Ｗの流量と目標流量値との偏差が大きい場合であっても、最終的には冷却水Ｗ流量は目標流量値に適切に近づくことになるが、その制御に時間がかかり、生産性が芳しくない。
【００１８】
次に、本発明の一実施形態に係る流量制御方法について、図２を参照して説明する。この流量制御方法は、流量制御装置１によって、厚鋼板Ｓに対し高圧（０．２ＭＰａ以上）の冷却水Ｗを噴射する冷却水噴射ノズル７ａを有するヘッダ７への冷却水の流量を制御する方法である。図２には、流量制御装置１の処理の流れが示されている。
ヘッダ７への冷却水の流量を制御するに際し、先ず、ステップＳ１において、流量調節弁制御部８は、上位計算機９から制御のスタート信号を受けて、上位計算機９から伝送されるヘッダ７への冷却水Ｗの目標流量値を取得する（目標流量値取得ステップ）。
【００１９】
次いで、ステップＳ２において、流量調節弁制御部８は、複数台の流量調節弁５１〜５ｎの弁開度のそれぞれの初期値を、ヘッダ７への冷却水Ｗの流量がステップＳ１で取得した目標流量値となるような大きさに設定する（弁開度初期値設定ステップ）。
ここで、ステップＳ２（弁開度初期値設定ステップ）で設定される複数台の流量調節弁５１〜５ｎの弁開度のそれぞれの初期値は、最下流の流量調節弁５ｎの弁開度については、ヘッダ７への冷却水Ｗの流量が目標流量値となるような大きさに設定する。また、その他の流量調節弁５１〜５ｎ−１の弁開度については、最上流の流量調節弁５１から最下流の流量調節弁５ｎに向けて徐々に弁開度を絞るような大きさに設定する。
【００２０】
ここで、最下流の流量調節弁（上流側からｎ段目の最下流の流量調節弁）５ｎの弁開度におけるヘッダ７への冷却水Ｗの流量が目標流量値となるような大きさとは、当該冷却水Ｗの流量が目標流量値となる弁開度そのものではなく、少し大きさが異なっても良い。例えば、最下流の流量調節弁５ｎの弁開度を、ヘッダ７への冷却水Ｗの流量が目標流量値となる弁開度＋０．１％の大きさに設定する。
また、その他の流量調節弁５１〜５ｎ−１の弁開度については、最上流の流量調節弁５１から最下流の流量調節弁５ｎに向けて徐々に弁開度を絞るような大きさに設定すればよい。例えば、上流側から１段目の最上流の流量調節弁５１の弁開度を、ヘッダ７への冷却水Ｗの流量が目標流量値となる弁開度＋１５％、上流側から２段目の流量調節弁５２の弁開度を、当該冷却水Ｗの流量が目標流量値となる弁開度＋１０％、・・・、上流側からｎ−１段目の流量調節弁５ｎ−１の弁開度を、当該冷却水Ｗの流量が目標流量値となる弁開度＋１％の大きさに設定する。
【００２１】
なお、流量調節弁制御部８による複数台の流量調節弁５１〜５ｎの弁開度のそれぞれの初期値の設定に際しては、最下流の流量調節弁５ｎの弁開度については、ヘッダ７への冷却水Ｗの流量が目標流量値となるような大きさに設定し、また、その他の流量調節弁５１〜５ｎ−１の弁開度については、最上流の流量調節弁５１から最下流の流量調節弁５ｎに向けて徐々に弁開度を絞るような大きさに設定する必要は必ずしもない。複数台の流量調節弁５１〜５ｎの弁開度のうち少なくとも１つの流量調節弁の弁開度を、ヘッダ７への冷却水Ｗの流量が目標流量値となるような大きさに設定すればよく、その他の流量調節弁の弁開度は、ヘッダ７への冷却水Ｗの流量が目標流量値となるような大きさに弁開度を設定した流量調節弁の弁開度と同じかそれ以上の大きさであればよい。
【００２２】
但し、本実施形態のように、ステップＳ２（弁開度初期値設定ステップ）で設定される複数台の流量調節弁５１〜５ｎの弁開度のそれぞれの初期値を、最下流の流量調節弁５ｎの弁開度については、ヘッダ７への冷却水Ｗの流量が目標流量値となるような大きさに設定する。また、その他の流量調節弁５１〜５ｎ−１の弁開度については、最上流の流量調節弁５１から最下流の流量調節弁５ｎに向けて徐々に弁開度を絞るような大きさに設定する。これにより、流量計６で測定される冷却水Ｗの実測値と目標流量値との偏差のばらつきが小さくなり、後に述べるステップＳ４（弁開度修正ステップ）における複数台の流量調節弁５１〜５ｎの初期値の修正を容易に行うことができる。
【００２３】
次に、ステップＳ３において、第１配管４ａから第２配管４ｂを経てヘッダ７に高圧の冷却水Ｗを供給し、その際に、流量計６が第２配管４ｂ内を流れる冷却水Ｗの流量を実測する（流量実測ステップ）。
そして、ステップＳ４において、流量調節弁制御部８は、ステップＳ３で実測された流量計６の実測値とステップＳ１で取得した目標流量値との偏差を求める。そして、流量調節弁制御部８は、この偏差がなくなるような大きさ（この偏差は０でなく少し異なっても良い）に複数台の流量調節弁５１〜５ｎのうち最下流の流量調節弁５ｎの弁開度の初期値を修正する。また、流量調節弁制御部８は、その他の流量調節弁５１〜５ｎ−１の弁開度については最上流の流量調節弁５１から最下流の流量調節弁５ｎに向けて徐々に弁開度を絞るような大きさに初期値を修正する（弁開度修正ステップ）。
【００２４】
例えば、ステップＳ２で設定した最下流の流量調節弁５ｎの弁開度がヘッダ７への冷却水Ｗの流量が目標流量値となる弁開度＋０．１％の大きさの場合、流量調節弁制御部８は、最下流の流量調節弁５ｎの弁開度につき、前述の偏差に相当する弁開度の大きさの分だけ前述のヘッダ７への冷却水Ｗの流量が目標流量値となる弁開度＋０．１％の大きさに付加あるいは減少させる。流量計６の実測値が目標流量値よりも小さい場合は、前述の偏差に相当する弁開度の大きさの分だけ付加し、流量計６の実測値が目標流量値よりも大きい場合は、前述の偏差に相当する弁開度の大きさの分だけ減少させる。
【００２５】
また、その他の流量調節弁５１〜５ｎ−１の弁開度については、流量調節弁制御部８は、最上流の流量調節弁５１から最下流の流量調節弁５ｎに向けて徐々に弁開度を絞るような大きさに弁開度を修正すればよい。従って、例えば、ステップＳ２で設定した上流側から１段目の最上流の流量調節弁５１の弁開度がヘッダ７への冷却水Ｗの流量が目標流量値となる弁開度＋１５％、上流側から２段目の流量調節弁５２の弁開度が当該冷却水Ｗの流量が目標流量値となる弁開度＋１０％、・・・、上流側からｎ−１段目の最上流の流量調節弁５ｎ−１の弁開度が当該冷却水Ｗの流量が目標流量値となる弁開度＋１％の大きさの場合、最上流の流量調節弁５１から最下流の流量調節弁５ｎに向けて徐々に弁開度が絞られているので、修正しなくても良い。
【００２６】
なお、ステップＳ３で実測された流量計６の実測値とステップＳ１で取得した目標流量値との偏差の大きさに応じて、この偏差がなくなるような大きさに最下流の流量調節弁５ｎの弁開度の初期値を修正した上で、その他の流量調節弁５１〜５ｎ−１の弁開度については、適宜修正量を決定することができる。
そして、ステップＳ５において、流量計６による冷却水Ｗの流量の実測と、流量調節弁制御部８による複数台の流量調節弁５１〜５ｎの弁開度の修正とを、１本の厚鋼板Ｓの冷却が終了するまで所定時間毎に繰り返す。これにより、流量制御装置１の処理が終了する。
【００２７】
ここで、高圧の冷却水Ｗは、流量調節弁制御部８によって複数台の流量調節弁５１〜５ｎの弁開度のそれぞれが修正された状態で、第１配管４ａから第２配管４ｂを経てヘッダ７に供給される。この際に、冷却水Ｗは、最上流の流量調節弁５１から最下流の流量調節弁５ｎに向けて徐々に弁開度が絞られた流量調節弁を通過して最下流の流量調節弁５ｎで目標流量値と偏差がなくなるように流量が調整されて流出する。この際に、冷却水Ｗが高圧であっても、冷却水Ｗの流量は複数台の流量調節弁５１〜５ｎによって徐々に絞られるので、最下流の流量調節弁５ｎを通過した冷却水Ｗの流量は均一になり、目標流量値との偏差が大きくなることはない。このため、厚鋼板Ｓに対し高圧の冷却水Ｗを噴射する冷却水噴射ノズル７ａを有するヘッダ７への冷却水Ｗの流量を、精度良く短時間で制御できる。
【００２８】
以上、本発明の実施形態について説明してきたが、本発明はこれに限定されずに種々の変更、改良を行うことができる。
例えば、流量制御装置１は、厚鋼板Ｓ以外の冷却対象物、例えば薄鋼板に対し高圧水の冷却水Ｗを噴射する複数の冷却水噴射ノズル７ａを有するヘッダ７への冷却水の流量を制御するものに適用しても良い。
【符号の説明】
【００２９】
１  流量制御装置
２  タンク
３  給水ポンプ
４  配管
４ａ  第１配管
４ｂ  第２配管
５１〜５ｎ  流量調節弁
６  流量計
７  ヘッダ
７ａ  冷却水噴射ノズル
８  流量調節弁制御部
９  上位計算機
Ｓ  厚鋼板（冷却対象物）
Ｗ  冷却水
【図１】
2020190885.tif 000003
【図２】
2020190885.tif 000004